(57)【要約】【課題】  従来のＰＨＳ構内無線システムは、パラメータ変更に手間がかかり稼働率が低下するという問題点があったが、本発明は、システム稼働率を低下させることなく、パラメータの変更を迅速に適用し、システムとしてのサービス向上や信頼性向上を図ることができるＰＨＳ構内無線システム及びパラメータ変更方法を提供する。【解決手段】  ブラウザ機能を有するＰＨＳ端末１がサーバ８に接続しして変更データを入力してパラメータ変更補助手段８０に送信し、パラメータ変更補助手段８０が変更データを管理コンソール５に送信し、管理コンソール５が運用パラメータ記憶部３１を変更し、ＰＨＳ端末１がパラメータ変更補助手段８０からの応答を受けて自己のパラメータを変更するＰＨＳ構内無線システム及びパラメータ変更方法である。【選択図】        図１
2008199644.tif 000002
【特許請求の範囲】
【請求項１】
入力されるシステムパラメータの変更データに従って運用中のシステムパラメータを変更するシステムパラメータ変更手段と、
システムパラメータの表示・変更の為の入出力画面を提供し、前記入出力画面に従って受信したシステムパラメータの変更データを前記システムパラメータ変更手段に出力し、前記変更データの送信元に応答を返すパラメータ変更補助手段と、
前記パラメータ変更補助手段が提供する入出力画面を表示し、システムパラメータの変更データを入力して前記パラメータ変更補助手段に送信し、前記パラメータ変更補助手段からの応答を受けて、前記変更したシステムパラメータに対応する自己のパラメータを変更するＰＨＳ端末とを有することを特徴とするＰＨＳ構内無線システム。
【請求項２】
複数のＰＨＳ端末と、前記ＰＨＳ端末と無線通信を行う基地局と、システムパラメータを記憶し前記システムパラメータを用いてシステムを運用する統合制御装置と、前記統合制御装置に接続されて前記システムパラメータの変更を行う管理コンソールとを有するＰＨＳ構内無線システムであって、
前記管理コンソールが、入力されるシステムパラメータの変更データに従って前記統合制御装置の運用中のシステムパラメータを変更するオンラインシステムパラメータ変更手段を有する管理コンソールであり、
前記統合制御装置及び前記管理コンソールとＬＡＮ接続され、システムパラメータの表示・変更の為の入出力画面を記述したハイパーテキスト情報のファイル群を記憶して前記ＰＨＳ端末に閲覧可能とし、前記入出力画面に従って前記ＰＨＳ端末から受信したシステムパラメータの変更データを前記管理コンソールのオンラインパラメータ変更手段に出力し、前記ＰＨＳ端末に応答を返すパラメータ変更補助手段を具備するサーバを設け、
前記ＰＨＳ端末が、ハイパーテキストブラウザ機能を具備し、前記サーバに接続して前記ハイパーテキスト情報を閲覧し、システムパラメータの表示及び変更データの入力を行うブラウザ手段と、前記パラメータ変更補助手段からの応答を受けて前記変更したシステムパラメータに対応する自己のパラメータを変更するＰＨＳパラメータ変更手段とを有するＰＨＳ端末であることを特徴とするＰＨＳ構内無線システム。
【請求項３】
パラメータ変更補助手段を統合制御装置内に設けることを特徴とする請求項２記載のＰＨＳ構内無線システム。
【請求項４】
ＰＨＳ端末のブラウザ手段が、システムパラメータの表示及び変更データの入力を行う前にパスワードの入力を行うＰＨＳ端末であり、
パラメータ変更補助手段が、パスワードとそれに対応するパラメータの表示・変更可能範囲を予め記憶し、前記ＰＨＳ端末から入力されるパスワードに応じてパラメータの表示・変更できる範囲を制御する機能を有する手段であることを特徴とする請求項２又は請求項３記載のＰＨＳ構内無線システム。
【請求項５】
ブラウザ機能を有するＰＨＳ端末が、サーバに接続してシステムパラメータの表示・変更の為の入出力画面を記述したハイパーテキスト情報を閲覧し、変更データを入力して前記サーバに送信し、前記サーバが、受信した変更データを管理コンソールに送信して、前記ＰＨＳ端末に応答を返送し、前記変更データを受信した管理コンソールが統合制御装置の運用中のシステムパラメータを変更し、前記ＰＨＳ端末が、前記サーバからの応答を受けて、前記変更したシステムパラメータに対応する自己のパラメータを変更することを特徴とするパラメータ変更方法。
【発明の詳細な説明】
【技術分野】
【０００１】
本発明は、ＰＨＳ方式の携帯端末を用いたＰＨＳ構内無線システムに係り、特にシステムパラメータとＰＨＳ端末のパラメータを簡単に変更できるＰＨＳ構内無線システム及びパラメータ変更方法に関する。
【背景技術】
【０００２】
ＰＨＳ（ＡＲｌＢ標準２８に定めるパーソナルハンディフォンシステム）方式の構内無線システムは、免許が不要な無線電話システムとして、オフィス内や工場内で採用されている。
従来のＰＨＳ構内無線システムについて、図５を使って説明する。図５は、従来のＰＨＳ構内無線システムの構成ブロック図である。
従来のＰＨＳ構内無線システムは、図５に示すように、ＰＨＳ方式の携帯端末であるＰＨＳ端末１′と、構内の各所に配置されて無線でＰＨＳ端末１′と接続するための基地局（図ではＢＳ：Base Station）２と、ＰＨＳ構内無線システム全体を制御する統合制御装置（図ではＣＳ：Control System）３と、構内用の電話交換機システムである構内交換機（図では、ＰＢＸ：Private Branch eXchange）４と、ＰＨＳ構内無線システムの保守管理を行う為の管理コンソール５′と、システムパラメータの記憶媒体であるメモリカード６と、ＰＨＳ端末１′へのパラメータ書き込みを専門に行う専用書込用端末７とから構成されている。
【０００３】
従来のＰＨＳ構内無線システムの各部について、パラメータ変更に関する部分を中心に説明する。
ＰＨＳ端末１′は、ＰＨＳ方式の携帯端末であり、その内部に自己の携帯端末の番号（ＰＳ番号）や識別子（ＰＳＩＤ）等のパラメータ（ＰＨＳパラメータ）を記憶しているＰＨＳパラメータ記憶部１０を有している。
専用書込用端末７は、ＰＨＳ端末１′のＰＨＳパラメータを書き込み、又は変更するための専用端末であり、通常は、システム保守員等だけが取り扱うことができる端末である。
【０００４】
基地局２は、構内の各所に配置されてＰＨＳ端末１′と無線通信するための一般的な基地局である。
統合制御装置３は、ＰＨＳ構内無線システム全体を制御する装置であり、管理下のＰＨＳ端末１′の番号（ＰＳ番号）や識別子（ＰＳＩＤ）等のパラメータ（システムパラメータ）を記憶しているシステムパラメータ記憶部３０と、運用用のシステムパラメータを記憶する運用パラメータ記憶部３１とを有している。そして、統合制御装置３では、立ち上げ時にシステムパラメータ記憶部３０からシステムパラメータを運用パラメータ記憶部３１にローディングして（図５では、点線矢印で記載）、運用パラメータ記憶部３１内のパラメータを実際のシステム運用に用いるようになっている。
【０００５】
交換機４は、会社、工場等の構内で内線電話同士の接続や、外部の加入者電話網やＩＳＤＮ回線などの公衆回線への接続を行う一般的な交換機である。
管理コンソール５′は、統合制御装置３と有線接続されて保守員室などの固定された場所に設置され、ＰＨＳ構内無線システムの保守管理を行う保守端末であり、保守員のみが操作することができるものである。
特に、システムパラメータの設定、変更に関しては、統合制御装置３の電源をＯＦＦ／ＯＮすることなくリアルタイムに変更できるオンラインパラメータ変更手段５０′と、統合制御装置３の電源をＯＦＦ／ＯＮすることで変更されたデータを運用に適用できるオフラインパラメータ変更手段５１とを有している。
【０００６】
具体的に、オフラインパラメータ変更手段５１では、内蔵するハードディスクにシステムパラメータを記憶していて、管理コンソール５′の入力部（図示せず）からの入力によってハードディスク内のデータを変更できるようになっている。そして、ハードディスク内に記憶されたデータをメモリカード６に格納することによって、統合制御装置３へ変更データを媒体伝送できるようになっている。そして、このメモリカード６を統合制御装置３に装着してシステムパラメータ記憶部３０にダウンロードし、その後統合制御装置３で電源のＯＦＦ／ＯＮを行うことによって、変更されたデータがシステムパラメータ記憶部３０から運用パラメータ記憶部３１にローディングされ（図５では、点線矢印で記載）、運用されるものである。
【０００７】
また、オンラインパラメータ変更手段５０′では、保守員のみが操作するという前提で、運用上支障のない一部のパラメータについて、直接統合制御装置３の運用パラメータ記憶部３１に変更を加える（図５では、点線矢印で記載）手段である。
【０００８】
次に、従来のＰＨＳ構内無線システムにおけるパラメータ変更動作について説明する。
従来のＰＨＳ構内無線システムにおいてシステムパラメータを変更する場合には、通常は保守員の操作によって、管理コンソール５′のオフラインパラメータ変更手段５１で変更操作が行われて管理コンソール５′内のハードディスク上のシステムパラメータが変更され、更に変更されたシステムパラメータがメモリカード６に書き込まれる。
そして、メモリカード６を統合制御装置３に装着して、メモリカード６内のシステムパラメータデータがシステムパラメータ記憶部３０にダウンロードされて記憶され、統合制御装置３の電源をＯＦＦ／ＯＮすることによって、システムパラメータ記憶部３０内のシステムパラメータデータが運用パラメータ記憶部３１にローディングされて、ＰＨＳ構内無線システムの運用に用いられる。すなわち、システムパラメータの変更が運用に適用されることになる。又は、メモリカード６内のシステムパラメータデータが、統合制御装置３の電源をＯＦＦ／ＯＮすることによって、直接運用パラメータ記憶部３１にローディングされて、ＰＨＳ構内無線システムの運用に用いられる。
また、別のシステムパラメータ変更方法として、運用に支障のない一部のパラメータに関しては、管理コンソール５′のオンラインパラメータ変更手段５０′から直接統合制御装置３の運用パラメータ記憶部３１内に変更を加えることもできる。この場合には、そのままシステムを継続運用しながら、変更したシステムパラメータを運用に適用させることができる。
【０００９】
また、従来のＰＨＳパラメータの変更動作としては、保守員の管理の元で専用書込用端末７を用いてＰＨＳ端末１′内のＰＨＳパラメータ記憶部１０に記憶されているＰＨＳパラメータデータを変更するようになっていた。
【００１０】
具体例として、例えば、ＰＨＳのＰＳ番号を変更する場合の手順としては、ＰＨＳ端末１′を利用者から預かり、まずＰＳ番号変更対象のＰＨＳ端末１′に対して専用書き込み用端末７でＰＨＳパラメータ記憶部１０内のパラメータのＰＳ番号を新しいＰＳ番号に変更し、保守員が管理コンソール５′でシステムパラメータのＰＳ番号の変更を行い、変更されたシステムパラメータをメモリカード６に格納し、統合制御装置３のシステムパラメータ記憶部３０にメモリカード６から変更されたシステムパラメータをダウンロードし、統合制御装置３の電源をＯＦＦ／ＯＮすることによって、変更されたパラメータが運用パラメータ記憶部３１にローディングされてシステム側で新しいＰＳ番号が使用可能となる。
この時、統合制御装置３の電源をＯＦＦ／ＯＮするのでＰＨＳ構内無線システム全体が一旦ダウンすることになる。
【００１１】
尚、パラメータ変更に関する従来技術としては、２００１（平成１３）年４月６日公開の特開２００１−９５０５２号「移動通信端末を用いた無線通信システム」（出願人：株式会社日立国際電気、発明者：梶原守雄）がある。
この従来技術は、主装置に接続された保守端末から主装置を通じて一括して各ＢＳ内の着信設定情報を変更するメッセージを送信し、ＢＳはそれに着信設定情報を付加してエリア内に発信し、エリア内のＰＨＳはこれを受信して、着信モードの切替を行う無線通信システムであり、これにより、サービスエリア内のＰＨＳの着信設定を一斉に変更できるものである。
【００１２】
【特許文献１】２００１−９５０５２号公報
【発明の開示】
【発明が解決しようとする課題】
【００１３】
しかしながら、従来のＰＨＳ構内無線システム及びパラメータ変更方法では、システムパラメータの変更と同期するタイミイングでＰＨＳパラメータとは別々に異なる方法で変更しなければならないので、ＰＨＳ端末１′を利用者から預かって、システムパラメータの変更と同期するタイミイングでＰＨＳパラメータを変更するか、又は、変更のタイミングを合わせられない場合には、しばらくＰＨＳ端末１′側のパラメータとシステムパラメータの整合性がとれず、ＰＨＳ端末１′が使用できない期間ができてしまうという問題点があった。
【００１４】
また、従来のパラメータ変更方法では、システムパラメータの変更がある度に統合制御装置３の電源をＯＦＦ／ＯＮしなければ運用に適応されないので、運用を中断しなければならず、システム稼働率が低下して、システムとしてのサービス低下や信頼性低下を招くことになるという問題点があった。
【００１５】
本発明は上記実情に鑑みて為されたもので、パラメータ変更手順を一元化し、運用を中断せずに適用できるようにして、システム稼働率を低下させることなく、パラメータの変更を迅速に適用し、システムとしてのサービス向上や信頼性向上を図ることができるＰＨＳ構内無線システム及びパラメータ変更方法を提供することを目的とする。
【課題を解決するための手段】
【００１６】
上記従来例の問題点を解決するための本発明は、ＰＨＳ構内無線システムにおいて、
入力されるシステムパラメータの変更データに従って運用中のシステムパラメータを変更するシステムパラメータ変更手段と、
システムパラメータの表示・変更の為の入出力画面を提供し、入出力画面に従って受信したシステムパラメータの変更データをシステムパラメータ変更手段に出力し、変更データの送信元に応答を返すパラメータ変更補助手段と、
パラメータ変更補助手段が提供する入出力画面を表示し、システムパラメータの変更データを入力してパラメータ変更補助手段に送信し、パラメータ変更補助手段からの応答を受けて、変更したシステムパラメータに対応する自己のパラメータを変更するＰＨＳ端末とを有するものなので、
ＰＨＳ端末からパラメータ変更補助手段の提供するシステムパラメータの表示・変更の為の入出力画面を用いて変更データを入力することで、運用中のシステムパラメータを変更し、更に自己のパラメータを変更することができる。
【００１７】
上記従来例の問題点を解決するための本発明は、パラメータ変更方法において、
ブラウザ機能を有するＰＨＳ端末が、サーバに接続してシステムパラメータの表示・変更の為の入出力画面を記述したハイパーテキスト情報を閲覧し、変更データを入力してサーバに送信し、サーバが、受信した変更データを管理コンソールに送信して、ＰＨＳ端末に応答を返送し、変更データを受信した管理コンソールが統合制御装置の運用中のシステムパラメータを変更し、ＰＨＳ端末が、サーバからの応答を受けて、変更したシステムパラメータに対応する自己のパラメータを変更するものなので、
ＰＨＳ端末からサーバに接続してシステムパラメータの表示・変更の為の入出力画面を用いて変更データを入力することで、運用中のシステムパラメータを変更し、更に自己のパラメータを変更することができる。
【発明の効果】
【００１８】
本発明によれば、パラメータ変更補助手段がシステムパラメータの表示・変更の為の入出力画面を提供し、ＰＨＳ端末がパラメータ変更補助手段が提供する入出力画面を表示し、システムパラメータの変更データを入力してパラメータ変更補助手段に送信し、パラメータ変更補助手段が受信したシステムパラメータの変更データをシステムパラメータ変更手段に出力してＰＨＳ端末に応答を返し、システムパラメータ変更手段が入力されるシステムパラメータの変更データに従って運用中のシステムパラメータを変更し、ＰＨＳ端末がパラメータ変更補助手段からの応答を受けて、変更したシステムパラメータに対応する自己のパラメータを変更するＰＨＳ構内無線システムとしているので、ＰＨＳ端末からパラメータ変更補助手段の提供するシステムパラメータの表示・変更の為の入出力画面を用いて変更データを入力することで、運用中のシステムパラメータを変更し、更に自己のパラメータを変更することにより、パラメータ変更手順を一元化し、運用を中断せずに適用できるようにして、システム稼働率を低下させることなく、パラメータの変更を迅速に適用し、システムとしてのサービス向上や信頼性向上を図ることができる効果がある。
【００１９】
本発明によれば、ブラウザ機能を有するＰＨＳ端末が、サーバに接続してシステムパラメータの表示・変更の為の入出力画面を記述したハイパーテキスト情報を閲覧し、変更データを入力してサーバに送信し、サーバが、受信した変更データを管理コンソールに送信して、ＰＨＳ端末に応答を返送し、変更データを受信した管理コンソールが統合制御装置の運用中のシステムパラメータを変更し、ＰＨＳ端末が、サーバからの応答を受けて、変更したシステムパラメータに対応する自己のＰＨＳパラメータを変更するパラメータ変更方法としているので、ＰＨＳ端末からシステムパラメータの表示・変更の為の入出力画面を用いて変更データを入力することで、運用中のシステムパラメータを変更し、更に自己のパラメータを変更することにより、パラメータ変更手順を一元化し、運用を中断せずに適用できるようにして、システム稼働率を低下させることなく、パラメータの変更を迅速に適用し、システムとしてのサービス向上や信頼性向上を図ることができる効果がある。
【発明を実施するための最良の形態】
【００２０】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００２１】
本発明に係るＰＨＳ構内無線システム及びパラメータ変更方法は、パラメータ変更補助手段がシステムパラメータの表示・変更の為の入出力画面を提供し、ＰＨＳ端末がパラメータ変更補助手段が提供する入出力画面を表示し、システムパラメータの変更データを入力してパラメータ変更補助手段に送信し、パラメータ変更補助手段が受信したシステムパラメータの変更データをシステムパラメータ変更手段に出力してＰＨＳ端末に応答を返し、システムパラメータ変更手段が、入力されるシステムパラメータの変更データに従って運用中のシステムパラメータを変更し、ＰＨＳ端末がパラメータ変更補助手段からの応答を受けて、変更したシステムパラメータに対応する自己のパラメータを変更するものなので、ＰＨＳ端末からパラメータ変更補助手段の提供するシステムパラメータの表示・変更の為の入出力画面を用いて変更データを入力することで、運用中のシステムパラメータを変更し、更に自己のパラメータを変更することができるものである。
【００２２】
尚、本発明の実施の形態における各手段と図１の各部との対応を示すと、パラメータ変更補助手段は、サーバ８のパラメータ変更補助手段８０に相当し、システムパラメータ変更手段は、統合制御装置の運用パラメータ記憶部３１及び管理コンソール５のオンラインパラメータ変更手段５０に相当している。
【００２３】
まず、本発明に係るＰＨＳ構内無線システムの構成について図１を使って説明する。図１は、本発明に係るＰＨＳ構内無線システムの構成ブロック図である。尚、図５と同様の構成をとる部分については同一の符号を付して説明する。
【００２４】
本発明のＰＨＳ構内無線システム（本システム）は、従来のＰＨＳ構内無線システムと同様の部分として、ＰＨＳ端末１と、基地局（図ではＢＳ）２と、統合制御装置（図ではＣＳ）３と、構内交換機（図では、ＰＢＸ）４と、管理コンソール５とから構成され、更に本発明の特徴部分として、サーバ８が設けられている。
【００２５】
次に、本システムの各部について説明するが、基地局２及び構内交換機４は、従来のそれと全く同様であるので、ここでは説明を省略し、特徴部分についてパラメータ制御に関する部分を中心に説明する。
本発明のＰＨＳ端末１は、従来と同様にＰＨＳ方式の携帯端末であり、その内部に自己の携帯端末の番号（ＰＳ番号）や識別子（ＰＳＩＤ）等のパラメータ（ＰＨＳパラメータ）を記憶しているＰＨＳパラメータ記憶部１０を有している点は同様である。
【００２６】
ブラウザ手段１１は、ＷＥＢサーバ上のＨＴＭＬ文書をリンクしながら閲覧し、場合によって入力データをＷＥＢサーバに送信し、また表示内容を受信して表示部（図示せず）に表示する一般的なＨＴＭＬブラウザ機能を実現するものである。
特に本発明では、後述するサーバ８上に記憶されているシステムパラメータの表示・変更の為の入出力画面を提供するパラメータ変更補助手段８０を実現するＨＴＭＬ文書を閲覧するためにブラウザ手段１１が使われるようになっている。
【００２７】
ここで、サーバ８上のパラメータ変更補助手段８０を利用してパラメータを変更するための操作手順について、図２を使って説明する。図２は、本発明のＰＨＳ端末１で行うパラメータ変更操作手順の流れを示すフローチャート図である。
本発明のＰＨＳ端末１で行うパラメータ変更操作手順は、まずサーバ８へ接続する（１００）。これは、一般的なＷＥＢサーバへの接続であり、接続後にログインのためのパスワード入力が求められて、入力されるパスワードに対応付けて予め使用可能な機能や変更可能なパラメータなどが制限されている。具体的には、ＰＨＳ構内無線システムの保守員であれば制限範囲は広いものであるが、一般ユーザであるならば当該ユーザに関連する項目のみの狭い制限範囲になる。
【００２８】
そして、メニューの中でパラメータ変更メニューを選択し（１０２）、変更データを入力し（１０４）、入力された変更データをサーバ８に送信し（１０６）、サーバ８からの応答データを受信し（１０８）、応答が正常（ＯＫ）であるか判断し（１１０）、ＯＫでないならば（Ｎｏ）処理１０２に戻り、ＯＫであるならば（Ｙｅｓ）後述すするＰＨＳパラメータ変更手段１２を起動して自己のＰＨＳパラメータを書き換え（１１２）、パラメータ変更の操作を終了する。
尚、変更データは、処理１０４の入力時に、一時記憶しておき、処理１１２の自己のＰＨＳパラメータの書き換えに使用しても良いし、サーバ８からの応答データ中に変更データを含めるようにして、当該応答データ中の変更データを処理１１２の自己のＰＨＳパラメータの書き換えに使用しても良い。
【００２９】
具体的な操作例としては、図３に示すように、サーバ８に接続すると、（ａ）のようにパスワード入力が要求され、パスワードが入力されると、（ｂ）のようにパラメータに関して各種メニューが表示されて選択可能となり、例えば、システムパラメータに関するメニュー（システム設定）を選択すると、（ｃ）のように各種パラメータの選択画面となり、例えば、（ｄ１）のようにシステム構成をシングルか二重化で切り替えることができる。
また、ＰＳ番号を選択すると、（ｄ２）のように任意のＰＳ（ＰＳＩＤ）に対応するＰＳ番号を入力して変更することができる。図３は、ＰＨＳ端末１からのパラメータ変更操作画面例を示す説明図である。
【００３０】
ＰＨＳパラメータ変更手段１２は、ＰＨＳパラメータ記憶部１０に記憶されている自己のＰＨＳパラメータを変更する手段であり、通常ブラウザ手段１１を介して自己に関するシステムパラメータを変更した直後に起動されて、自己のＰＨＳパラメータを変更するようになっている。
変更データは、上述したブラウザ手段１１を用いてシステムパラメータの変更データ入力時に一時的に記憶しておくようにしても良いし、又は、上述したブラウザ手段１１を用いてシステムパラメータの変更データを入力し、サーバ８に送信後のサーバ８からの応答データ中に変更データを含めるようにして、当該応答データ中の変更データに従って自己のＰＨＳパラメータを変更するようにしてもよい。
【００３１】
統合制御装置３は、基本的には従来と同様で、ＰＨＳ構内無線システム全体を制御する装置であり、管理下のＰＨＳ端末１の番号（ＰＳ番号）や識別子（ＰＳＩＤ）等のパラメータ（システムパラメータ）を記憶しているシステムパラメータ記憶部３０と、運用用のシステムパラメータを記憶する運用パラメータ記憶部３１とを有している。そして、統合制御装置３では、立ち上げ時にシステムパラメータ記憶部３０からシステムパラメータを運用パラメータ記憶部３１にローディング（図ＰＨＳ端末１では点線矢印で記載）して、運用パラメータ記憶部３１内のパラメータを実際のシステム運用に用いるようになっている。
但し、本発明では、運用中にも管理コンソール５によって変更可能なパラメータの範囲が広げられている。
【００３２】
サーバ８は、ＷＥＢサーバの役割を果たし、ＬＡＮを介して統合制御装置３及び基地局２及び各ＰＨＳ端末１で構成されるＰＨＳ構内無線システムと接続されて、ＰＨＳ端末１に対してＷＥＢ環境を提供するものである。尚、サーバ８の機能は統合制御装置３内で実現するようにしても構わない。
そして、特に本発明のサーバ８では、ＰＨＳ端末１からのシステムパラメータ変更を補助するパラメータ変更補助手段８０を有している。
【００３３】
パラメータ変更補助手段８０は、システムパラメータの表示・変更の為の入出力画面を提供し、入出力画面に従って受信したシステムパラメータの変更データを管理コンソール５のオンラインパラメータ変更手段５０に出力し、画面提供先に応答を返す手段である。
具体的にパラメータ変更補助手段８０は、システムパラメータの変更について、予めパスワードとそれに対応する使用可能な機能や表示、変更可能なパラメータの範囲を記憶しておいてパスワード管理を行う。具体的には、ＰＨＳ構内無線システムの保守員であれば制限範囲は広いものであるが、一般ユーザであるならば当該ユーザに関連する項目のみの狭い制限範囲になる。
そして、システムパラメータの表示・変更の為の入出力画面に従ってＰＨＳ端末１で入力されたパスワードに対応する制限範囲のパラメータについて、システムパラメータの表示・変更の為の入出力画面をＰＨＳ端末１に閲覧提供し、ＰＨＳ端末１からの要求に応じて現設定値を出力して表示させたり、入力された変更データを受信して、管理コンソール５へ変更データを送信し、ＰＨＳ端末１に対して変更データの送信完了を示す応答データを返送するものである。
【００３４】
サーバ８のパラメータ変更補助手段８０の具体的な処理の流れについて、図４を使って説明する。図４は、本発明のサーバ８のパラメータ変更補助手段８０の処理例を示すフローチャート図である。
サーバ８のパラメータ変更補助手段８０は、ＰＨＳ端末１から接続されてリンクが張られると動作を開始し、まずログイン処理を行う（２００）。ログイン処理は、図３（ａ）に示したようなパスワード入力画面をＰＨＳ端末１に送信して表示させ、ＰＨＳ端末１で入力されたパスワードを受け取って、当該パスワードに予め対応付けられている制限範囲を特定するものである。
【００３５】
そして、機能のメニューをＰＨＳ端末１に送信して表示させ、ＰＨＳ端末１で入力された選択入力を受け取り（２０１）、選択されたメニューがパラメータ変更であるか判断し（２０２）、パラメータ変更でないなら（Ｎｏ）選択されたメニューの処理を行う（２０４）がここでは詳細は省略する。
【００３６】
パラメータ変更が選択されたら（Ｙｅｓ）、変更データ入力画面をＰＨＳ端末１に送信して表示させ、ＰＨＳ端末１で入力された変更データを受け取り（２１０）、受け取った変更データを管理コンソール５のオンラインパラメータ変更手段５０に送信し（２１２）、ＰＨＳ端末１へ応答データを送信して（２１４）、処理を終了する。
【００３７】
管理コンソール５は、従来と同様に統合制御装置３と有線接続されて固定された場所に設置され、ＰＨＳ構内無線システムの保守管理を行う保守端末であり、保守員のみが操作することができるものである。
そして、本発明の管理コンソール５は、ＬＡＮを介してサーバ８と接続され、パラメータ変更補助手段８０から変更データを受けて、オンラインでシステムパラメータの変更を行うオンラインパラメータ変更手段５０を設けている。
【００３８】
オンラインパラメータ変更手段５０は、パラメータ変更補助手段８０から変更データを受信すると、統合制御装置３のシステムパラメータ記憶部３０の内容を書き換えて変更すると共に、運用パラメータ記憶部３１の内容も書き換えて変更する。すなわち、統合制御装置３の電源ＯＦＦ／ＯＮをすることなく、パラメータ変更を運用に適応する事になる。
【００３９】
次に、本発明のＰＨＳ構内無線システムにおけるパラメータ変更動作について、ＰＳ番号を変更する例で図１、図３を使って説明する。
本発明のＰＨＳ構内無線システムにおけるパラメータ変更は、ＰＨＳ端末１からブラウザ手段１１を使ってサーバ８のパラメータ変更補助手段８０に接続し、図３（ａ）の画面でパスワード入力が成されて、変更可能なパラメータが特定される。
そして、ＰＨＳ端末１で図３（ｂ）（ｃ）（ｄ２）とＰＳ番号設定画面へ遷移し、ＰＨＳ端末１のＰＳ番号、ＰＳＩＤ等必要な変更データが入力されて、サーバ８のパラメータ変更補助手段８０に送信され、パラメータ変更補助手段８０からＬＡＮで接続された管理コンソール５のオンラインパラメータ変更手段５０へＰＳ番号の変更データが送信され、オンラインパラメータ変更手段５０から統合制御装置３内のシステムパラメータ記憶部３０及び運用パラメータ記憶部３１のシステムパラメータ（ＰＳ番号）の変更が行われる。
【００４０】
そして、パラメータ変更補助手段８０では、オンラインパラメータ変更手段５０への変更データ送信後、ＰＨＳ端末１に送信完了を示す応答データが送信され、ＰＨＳ端末１では応答データを受信後に、ＰＨＳパラメータ変更手段１２が起動されて、ＰＨＳパラメータ記憶部１０に記憶されている自己のＰＨＳパラメータ（ＰＳ番号）が変更され、システムパラメータ及びＰＨＳパラメータの双方が変更されて、変更後のＰＳ番号で運用が行われるようになる。
なお、ＰＨＳパラメータ変更手段１２で行われる変更の変更データは、ＰＨＳ端末１で変更データ入力時に一時記憶しておいても良いし、オンラインパラメータ変更手段５０からの応答データ中に変更データを含めるようにして、当該応答データ中の変更データに従ってＰＨＳパラメータ記憶部１０に記憶されている自己のＰＨＳパラメータ（ＰＳ番号）を変更するようにしても構わない。
【００４１】
本発明の実施の形態にかかるＰＨＳ構内無線システムによれば、ＰＨＳ端末１からサーバ８に接続してパラメータの変更データを入力し、サーバ８を介して管理コンソール５で統合制御装置３の運用パラメータ記憶部３１を変更してシステムパラメータを変更するので、統合制御装置３の電源ＯＦＦ／ＯＮを行うことなくシステムパラメータの変更を運用に適応することができ、システム稼働率を低下させることなく、システムパラメータの変更を迅速に適用し、システムとしてのサービス向上や信頼性向上を図ることができる効果がある。
【００４２】
そして、システムパラメータの変更に続いてＰＨＳ端末１からＰＨＳパラメータ記憶部１０に記憶されている自己のＰＨＳパラメータを変更するので、従来のようにＰＨＳシステムの保守端末（専用書込用端末７）のある場所まで足を運ばなくてもＰＨＳパラメータを変更することができ、変更直後にその設定でＰＨＳ端末を使用できるようになりＰＨＳパラメータの変更を迅速に適用し、システムとしてのサービス向上を図ることができる効果がある。
また、システムパラメータの変更とＰＨＳパラメータの変更とを一連の流れで行い、システムパラメータの変更データを用いてＰＨＳパラメータの変更も行うため、２つのパラメータ変更作業の整合性を保ち、システム保守作業のミスを軽減し、作業効率を向上できる効果がある。
【００４３】
ＰＨＳ端末１からシステムパラメータを変更する際に、パスワード管理によって表示・変更できるパラメータを制限するので、保守員も一般ユーザも同様の手順で、役割に応じたパラメータを変更することができ、セキュリティを損なうことなく、保守操作を簡易化できる効果がある。
【００４４】
また、従来は、保守作業が管理コンソール５′からしか行えないため、管理コンソール５′設置場所に待機していなければならなかったが、本発明では保守員のパスワードを入力することによってＰＨＳ端末１から保守作業が行えるため、保守作業の効率を向上できる効果がある。
【００４５】
また、ＰＨＳ端末１からユーザのパスワードを入力することによって、当該ユーザに関するパラメータの変更をユーザ自身で行うことができるので、パラメータ変更のためにＰＨＳ端末１を使用できない期間を短縮して、サービス向上を図ることができる効果がある。
【産業上の利用可能性】
【００４６】
本発明は、パラメータ変更手順を一元化し、運用を中断せずに適用できるようにして、システム稼働率を低下させることなく、パラメータの変更を迅速に適用し、システムとしてのサービス向上や信頼性向上を図ることができるＰＨＳ構内無線システム及びパラメータ変更方法に適している。
【図面の簡単な説明】
【００４７】
【図１】本発明に係るＰＨＳ構内無線システムの構成ブロック図である。
【図２】本発明のＰＨＳ端末で行うパラメータ変更操作手順の流れを示すフローチャート図である。
【図３】ＰＨＳ端末からのパラメータ変更操作画面例を示す説明図である。
【図４】本発明のサーバのパラメータ変更補助手段の処理例を示すフローチャート図である。
【図５】従来のＰＨＳ構内無線システムの構成ブロック図である。
【符号の説明】
【００４８】
１、１′...ＰＨＳ端末、  ２...基地局、  ３...統合制御装置、  ４...構内交換機、  ５、５′...管理コンソール、  ６...メモリカード、  ７...専用書込用端末、  ８...サーバ、  １０...ＰＨＳパラメータ記憶部、  １１...ブラウザ手段、  １２...ＰＨＳパラメータ変更手段、  ３０...システムパラメータ記憶部、  ３１...運用パラメータ記憶部、  ５０，５０′...オンラインパラメータ変更手段、  ５１...オフラインパラメータ変更手段、  ８０...パラメータ変更補助手段
【図１】
2008199644.tif 000003
【図２】
2008199644.tif 000004
【図３】
2008199644.tif 000005
【図４】
2008199644.tif 000006
【図５】
2008199644.tif 000007